【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
式Ｉ
Ｐ１−Ｓｐ１−（Ａ１−Ｚ１）ｎ−Ａ２−Ｓｐ４−ＣＨ（Ｓｐ２−Ｐ２）（Ｓｐ３−Ｐ３）  Ｉ
式中、個々の基は以下の意味を有する：
Ｐ１、Ｐ２、Ｐ３は、互いに独立して重合性基を示し、
Ｓｐ１〜４は、互いに独立してスペーサー基または単結合を示し、
Ａ１、Ａ２は、互いに独立して、および各出現において同一にまたは異なって、４〜２５個のＣ原子を有する芳香族、複素芳香族、脂環式または複素環式基（これはまた縮合環を含んでいてもよく、かつＬによって単置換または多置換されていてもよい）を示し、
Ｚ１は、−Ｏ−、−ＣＯ−Ｏ−、−ＯＣＯ−、−ＯＣＨ２−、−ＣＨ２Ｏ−、−ＣＦ２Ｏ−、−ＯＣＦ２−、−ＣＨ２ＣＨ２−、−ＣＨ＝ＣＨ−、−ＣＦ＝ＣＦ−、−ＣＨ＝ＣＦ−、−ＣＦ＝ＣＨ−、−Ｃ≡Ｃ−および単結合からなる群から選択され、
Ｌは、Ｐ１−、Ｐ１−Ｓｐ１−、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、置換されていてもよいシリル、５〜２０個の環原子を有する置換されていてもよいアリールもしくはヘテロアリール、または１〜２５個のＣ原子を有する直鎖状もしくは分枝状アルキル（ここでさらに、１つまたは２つ以上の隣接していないＣＨ２基は、各々、互いに独立して、−Ｃ（Ｒ００）＝Ｃ（Ｒ０００）−、−Ｃ≡Ｃ−、−Ｎ（Ｒ００）−、−Ｏ−、−Ｓ−、−ＣＯ−、−ＣＯ−Ｏ−、−Ｏ−ＣＯ−、−Ｏ−ＣＯ−Ｏ−によって、Ｏおよび／またはＳ原子が互いに直接結合しないように置き換えられていてもよく、かつここでさらに、１個または２個以上のＨ原子は、Ｆ、Ｃｌ、ＣＮ、Ｐ１またはＰ１−Ｓｐ１−によって置き換えられていてもよい）を示し、
Ｒ００およびＲ０００は、各々、互いに独立して、Ｈまたは１〜１２個のＣ原子を有するアルキルを示し、
Ｙ１は、ハロゲンであり、
Ｒｘは、Ｐ１、Ｐ１−Ｓｐ１−、Ｈ、ハロゲン、１〜２５個のＣ原子を有する直鎖状、分枝状もしくは環状アルキル（ここで１つもしくは２つ以上の隣接していないＣＨ２基は、−Ｏ−、−Ｓ−、−ＣＯ−、−ＣＯ−Ｏ−、−Ｏ−ＣＯ−、−Ｏ−ＣＯ−Ｏ−によって、ＯまたはＳ原子が互いに直接結合しないように置き換えられていてもよく、かつここで１個または２個以上のＨ原子は、Ｆ、Ｃｌ、Ｐ１−またはＰ１−Ｓｐ１−、５〜２０個の環原子を有していてもよい）、または置換されていてもよいアリール、アリールオキシ、ヘテロアリールもしくはヘテロアリールオキシを示し、
ｎは、１、２、３または４である、
で表される化合物。
【請求項２】
Ａ１、Ａ２が各々、互いに独立して、１，４−フェニレン、ナフタレン−１，４−ジイルまたはナフタレン−２，６−ジイル（ここで当該基中の１つまたは２つ以上のＣＨ基はＮによって置き換えられていてもよい）、シクロヘキサン−１，４−ジイル（ここにおいて、さらに１つまたは２つ以上の隣接していないＣＨ２基はＯおよび／またはＳによって置き換えられていてもよい）、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイル、オクタヒドロ−４，７−メタノインダン−２，５−ジイル、アントラセン−２，７−ジイル、フルオレン−２，７−ジイル、フェナントレン−２，７−ジイルまたは９，１０−ジヒドロ−フェナントレン−２，７−ジイル（ここですべての当該基は非置換であるか、または請求項１において定義したＬによって単置換もしくは多置換されている）を示すことを特徴とする、請求項１に記載の化合物。
【請求項３】
Ｓｐ１が単結合であること、または
Ｓｐ１が−（ＣＨ２）ｐ１−もしくは−（ＣＨ２）ｐ１−Ｏ−（ここでｐ１は１、２もしくは３である）であり、Ｓｐ２およびＳｐ３が−（ＣＨ２）ｐ２−（ここでｐ２は１、２もしくは３である）を示し、かつＳｐ４が−（ＣＨ２）ｐ４−（ここでｐ４は１、２または３である）であること
を特徴とする、請求項１または２に記載の化合物。
【請求項４】
Ｐ１、Ｐ２およびＰ３が互いに独立してビニルオキシ基、アクリレート基、メタクリレート基、フルオロアクリレート基、クロロアクリレート基、オキセタン基またはエポキシド基を示すことを特徴とする、請求項１〜３のいずれか一項に記載の化合物。
【請求項５】
以下の従属式：
【化１】
2016504433.tif 000001
【化２】
2016504433.tif 000002
式中、Ｐ１、Ｐ２、Ｐ３およびＬは請求項１において定義した通りであり、ｒは０、１、２、３または４である、
のいずれかで表される化合物からなる群から選択される化合物であることを特徴とする、請求項１〜４のいずれか一項に記載の化合物。
【請求項６】
以下の式：
【化３】
2016504433.tif 000003
で表される化合物であることを特徴とする、請求項１〜５のいずれか一項に記載の化合物。
【請求項７】
請求項１〜６のいずれか一項に記載の１種または２種以上の化合物を含む、ＬＣ媒体。
【請求項８】
以下のもの
−  請求項１〜６のいずれか一項に記載の１種または２種以上の化合物を含む、重合性成分Ａ、および
−  １種または２種以上の低分子量化合物を含む、ＬＣ成分Ｂ
を含むことを特徴とする、請求項７に記載のＬＣ媒体。
【請求項９】
ＬＣ成分Ｂが、式ＣＹまたはＰＹ：
【化４】
2016504433.tif 000004
式中、個々の基は以下の意味を有する：
ａは、１または２を示し、
ｂは、０または１を示し、
【化５】
2016504433.tif 000005
Ｒ１およびＲ２は、各々、互いに独立して１〜１２個のＣ原子を有するアルキル（ここでさらに、１つまたは２つの隣接していないＣＨ２基は、−Ｏ−、−ＣＨ＝ＣＨ−、−ＣＯ−、−Ｏ−ＣＯ−または−ＣＯ−Ｏ−によって、Ｏ原子が互いに直接結合しないように置き換えられていてもよい）を示し、
Ｚｘは、−ＣＨ＝ＣＨ−、−ＣＨ２Ｏ−、−ＯＣＨ２−、−ＣＦ２Ｏ−、−ＯＣＦ２−、−Ｏ−、−ＣＨ２−、−ＣＨ２ＣＨ２−または単結合を示し、
Ｌ１〜４は、各々、互いに独立してＦ、Ｃｌ、ＯＣＦ３、ＣＦ３、ＣＨ３、ＣＨ２Ｆ、ＣＨＦ２を示す、
で表される化合物からなる群から選択される１種または２種以上の化合物を含むことを特徴とする、請求項８に記載のＬＣ媒体。
【請求項１０】
ＬＣ成分Ｂが以下の式：
【化６】
2016504433.tif 000006
式中、個々の基は、以下の意味を有する：
【化７】
2016504433.tif 000007
Ｒ３およびＲ４は、各々、互いに独立して１〜１２個のＣ原子を有するアルキル（ここでさらに、１つまたは２つの隣接していないＣＨ２基は、−Ｏ−、−ＣＨ＝ＣＨ−、−ＣＯ−、−Ｏ−ＣＯ−または−ＣＯ−Ｏ−によって、Ｏ原子が互いに直接結合しないように置き換えられていてもよい）を示し、
Ｚｙは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−ＣＦ＝ＣＦ−または単結合を示す、
で表される１種または２種以上の化合物を含むことを特徴とする、請求項８または９に記載のＬＣ媒体。
【請求項１１】
ＬＣ成分Ｂが、アルケニル基を含む１種または２種以上の化合物であって、式Ｉで表される重合性化合物の重合のために使用する条件の下での重合反応に対して安定である、該化合物を含むことを特徴とする、請求項８〜１０のいずれか一項に記載のＬＣ媒体。
【請求項１２】
式Ｉで表される化合物を重合させることを特徴とする、請求項７〜１１のいずれか一項に記載のＬＣ媒体。
【請求項１３】
請求項１〜６のいずれか一項に記載の化合物の、液晶（ＬＣ）媒体またはＬＣディスプレイにおける、使用。
【請求項１４】
請求項７〜１２のいずれか一項に記載のＬＣ媒体の、ＬＣディスプレイにおける、使用。
【請求項１５】
ＬＣディスプレイがＰＳＡ（ポリマー保持整列）タイプのディスプレイであることを特徴とする、請求項１３または１４に記載の使用。
【請求項１６】
請求項１〜６のいずれか一項に記載の式Ｉで表される１種もしくは２種以上の化合物を含むか、または請求項７〜１２のいずれか一項に記載のＬＣ媒体を含む、ＬＣディスプレイ。
【請求項１７】
ＰＳＡタイプのディスプレイである、請求項１６に記載のＬＣディスプレイ。
【請求項１８】
ＰＳＡ−ＶＡ、ＰＳＡ−ＯＣＢ、ＰＳＡ−ＩＰＳ、ＰＳ−ＦＦＳ、ＰＳＡ−ポジ−ＶＡまたはＰＳＡ−ＴＮディスプレイである、請求項１７に記載のＬＣディスプレイ。
【請求項１９】
ＬＣセルであって、２つの基板および２つの電極（ここで少なくとも１つの基板は光に対して透明であり、かつ少なくとも１つの基板は１つまたは２つの電極を有している）、ならびに該基板間に位置する、重合した成分および低分子量成分を含むＬＣ媒体の層を有する前記ＬＣセルを含むこと、ここで該重合した成分はＬＣ媒体中に、ＬＣセルの基板間の１種または２種以上の重合性化合物の重合によって得られる、請求項１６または１７に記載のＬＣディスプレイであって、
重合性化合物の少なくとも１種が請求項１〜６のいずれか一項に記載の化合物から選択されること、かつ／または
ＬＣ媒体が請求項７〜１２のいずれか一項に記載のＬＣ媒体であること、
を特徴とする、前記ＬＣディスプレイ。
【請求項２０】
重合した成分が、ＬＣ媒体中に電圧を電極に印加しながらのＬＣセルの基板間の１種または２種以上の重合性化合物の重合によって得られることを特徴とする、請求項１９に記載のＬＣディスプレイ。
【請求項２１】
請求項１６〜２０のいずれか一項に記載のＬＣディスプレイの製造方法であって、請求項７〜１２のいずれか一項に記載のＬＣ媒体を、２つの基板および２つの電極を有するＬＣセル中に満たし、重合性化合物を重合させるステップを含む、前記方法。
【請求項２２】
電圧を電極に印加しながら、重合性化合物を重合させる、請求項２１に記載の方法。
【請求項２３】
式ＩＩ
Ｐｇ１−Ｓｐ１−（Ａ１−Ｚ１）ｎ−Ａ２−Ｓｐ４−ＣＨ（Ｓｐ２−Ｐｇ２）（Ｓｐ３−Ｐｇ３）      ＩＩ
式中、Ｓｐ１、Ｓｐ２、Ｓｐ３、Ｓｐ４、Ａ１、Ａ２、Ｚ１およびｎは、請求項１において示した意味を有し、Ｐｇ１、Ｐｇ２およびＰｇ３は、互いに独立してＯＨまたは保護された水酸基またはマスクした水酸基を示す、
で表される化合物。
【請求項２４】
以下の従属式
【化８】
2016504433.tif 000008
【化９】
2016504433.tif 000009
式中、Ｐｇ１、Ｐｇ２およびＰｇ３は互いに独立してＯＨまたは保護された水酸基またはマスクした水酸基を示し、
Ｌは請求項１において定義したとおりであり、および
ｒは０、１、２、３または４である、
のいずれかで表される化合物からなる群から選択される、請求項２３に記載の化合物。
【請求項２５】
以下の式：
【化１０】
2016504433.tif 000010
で表される化合物であることを特徴とする、請求項２３または２４に記載の化合物。
【請求項２６】
請求項１〜６のいずれか一項に記載の化合物の製造方法であって、基Ｐ１を含む対応する酸、酸誘導体もしくはハロゲン化化合物を脱水試薬の存在下で使用した、請求項２３または２４に記載の化合物であって、式中Ｐｇ１〜３がＯＨを示す該化合物のエステル化もしくはエーテル化、または請求項２５に記載の化合物のエステル化もしくはエーテル化による、前記方法。
【請求項２７】
請求項７〜１２のいずれか一項に記載のＬＣ媒体の調製方法であって、１種もしくは２種以上の低分子量液晶化合物または請求項１１において定義した液晶成分Ｂを、請求項１〜６のいずれか一項に記載の１種または２種以上の重合性化合物と混合するステップを含む、前記方法。
【請求項２８】
請求項２７に記載のＬＣ媒体の調製方法であって、１種もしくは２種以上の低分子量液晶化合物または請求項１１において定義した液晶成分Ｂを、請求項１〜６のいずれか一項に記載の１種または２種以上の重合性化合物と、ならびにさらなる液晶化合物および／または添加剤と混合するステップを含む、前記方法。